(57)【要約】【課題】  施設の活用効率を改善するための施設管理システム等を提供する。【解決手段】  施設管理システムであって、時刻を取得する時刻取得手段と、スケジュールの開始時刻と、そのスケジュールの終了時刻とを記憶するスケジュール管理手段と、前記時刻取得手段が取得した時刻が、前記スケジュールの開始時刻とその終了時刻との少なくとも一方を含む所定の期間内である場合に、そのスケジュールに関する施設の位置と、そのスケジュールに関する利用者の位置との位置関係を特定する特定手段と、前記特定手段が特定した位置関係が、前記所定の範囲内であるか否かに応じて、異なる処理を行うことを決定する処理決定手段とを備える。【選択図】      図１
2013149060.tif 000002
【特許請求の範囲】
【請求項１】
時刻を取得する時刻取得手段と、
スケジュールの開始時刻と、そのスケジュールの終了時刻とを記憶するスケジュール管理手段と、
前記時刻取得手段が取得した時刻が、前記スケジュールの開始時刻とその終了時刻との少なくとも一方を含む所定の期間内である場合に、そのスケジュールに関する施設の位置と、そのスケジュールに関する利用者の位置との位置関係を特定する特定手段と、
前記特定手段が特定した位置関係が、前記所定の範囲内であるか否かに応じて、異なる処理を行うことを決定する処理決定手段とを備える
ことを特徴とする施設管理システム。
【請求項２】
前記特定手段は、
前記時刻取得手段が取得した時刻が、前記スケジュール管理手段によるスケジュールの開始時刻とその終了時刻との期間内であるか、または、その期間外であるかに対応して処理を決定することを特徴とする請求項１に記載の施設管理システム。
【請求項３】
前記処理決定手段は、
前記特定手段が特定した利用者と施設との位置関係において、その利用者が該施設内部にいるか否かに応じて異なる処理を行うことを決定することを特徴とする請求項１乃至２のいずれか一項に記載の施設管理システム。
【請求項４】
前記特定手段は、
前記時刻取得手段が取得した時刻が、前記スケジュール管理手段によるスケジュールの開始時刻のＮ分前（但し、Ｎは１乃至６０の整数）とその開始時刻との期間内であるか、または、その期間外であるかに対応して処理を決定し、
前記処理決定手段は、
前記特定手段が特定した位置関係が、前記所定の範囲外にある場合にそのスケジュールの開始通知を行うことを決定し、該位置関係が、前記所定の範囲内にある場合にその開始通知を行わないことを決定する
ことを特徴とする請求項１に記載の施設管理システム。
【請求項５】
前記処理決定手段は、
前記特定手段が特定した位置関係が、前記所定の範囲内にある場合に終了通知を行うことを決定し、該位置関係が、前記所定の範囲外にある場合に終了通知を行わないことを決定する
ことを特徴とする請求項２に記載の施設管理システム。
【請求項６】
前記処理決定手段は、
前記特定手段が特定した位置関係が、前記所定の範囲外にある場合に、前記スケジュール管理手段に記憶しているそのスケジュールの終了時刻を、前記時刻取得手段が取得した時刻に書き換えることを決定し、該位置関係が所定の範囲内にある場合にその書き換えを行わないことを決定する
ことを特徴とする請求項２に記載の施設管理システム。
【請求項７】
前記特定手段は、
前記スケジュールに関する利用者が所持する通信装置の情報を、通信システムを介して読み取り、読み取った情報に含まれる該利用者の位置と、そのスケジュールに関する施設の位置との位置関係を特定する
ことを特徴とする、請求項１乃至６のいずれか一項に記載の施設管理システム。
【請求項８】
前記処理決定手段は、
前記特定手段が特定した位置関係が、前記所定の範囲内にある場合に値札の割引表示を行い、該位置関係が、前記所定の範囲外にある場合にその割引表示を行わない
ことを決定することを特徴とする請求項２に記載の施設管理システム。
【請求項９】
取得した時刻が、スケジュールの開始時刻とその終了時刻との少なくとも一方を含む所定の範囲内である場合に、そのスケジュールに関する施設の位置と、そのスケジュールに関する利用者の位置との位置関係を特定し、特定された位置関係が該所定の範囲内であるか否かに応じて異なる処理を行うことを、コンピュータを用いて決定することを特徴とする施設管理方法。
【請求項１０】
時刻を取得する時刻取得機能と、
スケジュールの開始時刻と、そのスケジュールの終了時刻とを記憶するスケジュール記憶機能と、
前記時刻取得手段が取得した時刻が、前記スケジュールの開始時刻とその終了時刻との少なくとも一方を含む所定の範囲内である場合にそのスケジュールに関する施設の位置と、そのスケジュールに関する利用者の位置との位置関係を特定する特定機能と、
前期取得機能が特定した位置関係が、前記所定の範囲内であるか否かに応じて、異なる処理を行うことを決定する処理決定機能とを、
コンピュータに実現させることを特徴とするコンピュータ・プログラム。
【発明の詳細な説明】
【技術分野】
【０００１】
本発明は、施設や設備など有効利用に用いることができる情報処理のシステム技術に関する。
【背景技術】
【０００２】
情報処理装置を利用した施設予約利用システムは、会議室などの施設の有効利用を高めるために用いられている。特許文献１乃至４は、関連する施設予約利用システムの例を開示する。
【０００３】
特許文献１に開示された施設予約利用システムは、データベースを管理するホスト装置と、ＬＡＮと会議室と、入力装置と、利用者端末装置と、カードリーダーとから構成される。このシステムは、利用者が会議室を利用する場合、利用者がカードリーダーを有する端末に利用開始あるいは利用終了したことを入力すると、会議室の利用状況を管理する。
【０００４】
特許文献２に開示された会議ナビゲーションシステムは、入力端末と、目的に応じて分類された会議室とから構成される。この会議ナビゲーションシステムは、利用者が入力端末から入力する会議の種類と参加人数に応じて、入力された参加人数と会議の種類が会議室に適合しているかどうかを判定する。
【０００５】
特許文献３に開示された会議開催及びスケジュール管理支援装置は、利用者各人ごとにスケジュール情報を保持するスケジュール管理エージェントと、スケジュール管理支援装置とから構成される。係るスケジュール管理支援装置は、利用者が指定した会議開催希望に応じて、会議の全参加者のスケジュールの空きを調べ、空き時間情報に基づいて会議開催スケジュールを決定し、利用者に決定したスケジュールを提示する。利用者は、スケジュール管理支援装置が提示したスケジュールの確認を行う。スケジュール管理支援装置は、利用者が確認したスケジュールをスケジュール管理エージェントに通知する。
【０００６】
特許文献４に開示された集合支援システムは、ルート探索手段と、集合支援装置とから構成される。このルート探索手段は、利用者の現在位置から集合場所候補までのルートのうち所要時間が最短のルートを探す。当該集合支援装置は、複数の集合場所候補の中から、探索した最短ルートにおける所要時間が最長の参加者の所要時間が、最短になるように集合場所を決定する。
【先行技術文献】
【特許文献】
【０００７】
【特許文献１】特開２００２−１２３５８８号公報
【特許文献２】特開２０００−２８６８４４号公報
【特許文献３】特開平０９−０９１３４１号公報
【特許文献４】特開２００９−０９７９９８号公報
【発明の概要】
【発明が解決しようとする課題】
【０００８】
上述した関連文献における問題点は、施設予約利用システムと現実との間における整合性が取れなくなってしまう結果、利用されていないにもかかわらず、予約情報が登録されたスケジュール上は利用あるいは予約されている状態のままであることにより、他の利用者が利用できないという無駄が生じることである。さらに、通知を必要としない利用者に対しても、施設予約利用システムが通知してしまうことも問題である。
【０００９】
その理由は、特許文献１の施設予約利用システムにおいては利用者の利用管理がカードリーダーを使用して行われているためである。そのため、特許文献１においては、利用者が施設予約利用システムへの入出力に手間がかかるのに加え、利用者がシステムの入出力を忘れてしまうことがある。
【００１０】
また、特許文献２及び３に開示された会議ナビゲーションシステムは、利用者の位置を取得するための手段を持っていないため、施設予約利用システムと現実との間の整合性を取ることは不可能である。
【００１１】
そして、特許文献４に開示された集合支援システムは、利用者の現在位置を認識し、その認識の結果を利用して最適な集合場所を決めることができるものの、時刻を取得するための手段を持っていないため、施設予約利用システムと現実との整合性をとることができない。
【課題を解決するための手段】
【００１２】
本発明に係る施設管理システムは、以下の構成を備えることを特徴とする。
【００１３】
即ち、本発明に係る施設管理システムは、
時刻を取得する時刻取得手段と、
スケジュールの開始時刻と、そのスケジュールの終了時刻とを記憶するスケジュール管理手段と、
前記時刻取得手段が取得した時刻が、前記スケジュールの開始時刻とその終了時刻との少なくとも一方を含む所定の期間内である場合に、そのスケジュールに関する施設の位置と、そのスケジュールに関する利用者の位置との位置関係を特定する特定手段と、
前記特定手段が特定した位置関係が、前記所定の範囲内であるか否かに応じて、異なる処理を行うことを決定する処理決定手段とを備える
ことを特徴とする。
【００１４】
また、本発明の他の見地として、本発明に係る施設管理方法は、
取得した時刻が、スケジュールの開始時刻とその終了時刻との少なくとも一方を含む所定の範囲内である場合に、そのスケジュールに関する施設の位置と、そのスケジュールに関する利用者の位置との位置関係を特定し、特定された位置関係が該所定の範囲内であるか否かに応じて異なる処理を行うことを、コンピュータを用いて決定することを特徴とする。
【００１５】
また、同目的は、上記構成を有する施設管理システム、並びに対応する方法を、コンピュータによって実現するコンピュータ・プログラム、及びそのコンピュータ・プログラムが格納されている、コンピュータ読み取り可能な記憶媒体によっても達成される。
【発明の効果】
【００１６】
本発明によれば、施設の活用効率を改善することができる。
【発明を実施するための形態】
【００１７】
次に、本発明の実施の形態について、図面を参照して詳細に説明する。
【００１８】
＜第１の実施形態＞
図１は、本発明の第１の実施形態に係る施設管理システムの構成を示す図である。図１を参照すると、本実施形態に係る施設管理システム５は、時刻特定部１と特定部２と処理決定部３とスケジュール管理部４とを備えている。
【００１９】
時刻特定部１は、時刻を取得する。スケジュール管理部４は、スケジュールの開始時刻と、そのスケジュールの終了時刻とを記憶することができる。特定部２は、時刻特定部１が取得した時刻が、前記スケジュールの開始時刻とその終了時刻との少なくとも一方から定義される所定の時間範囲（期間）内である場合に、そのスケジュールに関する施設の位置と、そのスケジュールに関する利用者の位置との位置関係を特定する。
【００２０】
処理決定部３は、前記特定部２が特定した位置関係が、所定の範囲内であるか否かに応じて、異なる処理を行うことを決定する。施設管理システム５は、処理決定部３が時刻と位置関係に応じて処理を決定することに従って、状況に応じた制御が可能なシステム構成である。
【００２１】
図２は、第１の実施形態に係る施設管理システムが実行する管理処理の手順を示すフローチャートである。ここで、図１及び図２を参照して、施設管理システム５の動作について詳細に説明する。
【００２２】
時刻特定部１は、時刻を取得する（ステップＳ２０１）。特定部２は、時刻特定部１が取得した時刻が、前記スケジュールの開始時刻とその終了時刻との少なくとも一方から定義される所定の時間範囲である場合に（ステップＳ２０２）、そのスケジュールに関する施設の位置と、そのスケジュールに関する利用者の位置との位置関係を特定する（ステップＳ２０３）。
【００２３】
処理決定部３は、特定部２が特定した位置関係が所定の範囲内であるか否かに応じて、異なる処理を行うことを決定する（ステップＳ２０４）。
【００２４】
上述した施設管理システム５によれば、特定された時刻と特定された位置関係に応じた制御を行うことが可能になる。例えば、この施設管理システム５は、開始時刻が近付いているときに、まだ施設外にいる利用者のみに開始通知を送る制御が可能になる。さらに、施設管理システム５は、終了時刻が近付いているときに、施設内にいる利用者のみに終了通知を送る制御が可能になる。加えて、施設管理システム５は、施設利用がスケジュール上は利用されている時間帯であるにもかかわらず、利用者が施設外にいる場合にのみ終了時刻を書き換える制御も可能になる、さらに、開始時刻が近付いているにもかからず、施設から遠い位置関係にある利用者には、時間と距離に応じて開始通知を送る制御も可能になる。その結果、施設管理システム５は、無駄な資源の利用を減らしたり、無駄に施設が利用されている状況を削減したりする。
【００２５】
即ち、本実施形態によれば、施設の活用効率を改善することができる。
【００２６】
＜第２の実施形態＞
次に、上述した第１の実施形態を基本とする第２の実施形態について説明する。以下の説明においては、本実施形態に係る特徴的な部分を中心に説明すると共に、上述した第１の実施形態と同様な構成についての重複する説明は省略する
図８は、第２の実施形態に係る施設管理システムが実行する管理処理の手順を示すフローチャートである。ここで、図１及び図８を参照して、施設管理システム５の動作について詳細に説明する。
【００２７】
特定部２は、特に、時刻特定部１が取得した時刻がスケジュール管理部４のスケジュールの開始時刻とその終了時刻との期間内である場合に（ステップＳ８０１）、そのスケジュールに関する施設の位置と、そのスケジュールに関する利用者の位置との位置関係を特定するという動作実施の有無を決める。それにより、施設管理システム５は、スケジュールの開始時刻とその終了時刻との期間内と、その期間外という状況に応じた制御が可能になるシステム構成である。そのため、本実施形態によれば、施設の活用効率を改善することができる。さらに、本実施形態によれば、スケジュールの開始時刻とその終了時刻との期間内とその期間外に関係する制御について、施設の活用効率を改善することができる。
【００２８】
＜第３の実施形態＞
次に、上述した第２の実施形態を基本とする第３の実施形態について説明する。以下の説明においては、本実施形態に係る特徴的な部分を中心に説明すると共に、上述した第２の実施形態と同様な構成についての重複する説明は省略する。
【００２９】
図１２は、第３の実施形態に係る施設管理システムが実行する管理処理の手順を示すフローチャートである。ここで、図１及び図１２を参照して、施設管理システム５の動作について詳細に説明する。
【００３０】
施設管理システム５は、特定部２が特定した利用者と施設との位置関係に対応して、終了通知の実施を決定する。その特定された位置関係が所定の範囲内であるとき（ステップＳ１２０４）に終了通知（ステップＳ１２０５）を行い、そうでないときには終了通知を行わない。すなわち、施設管理システム５は、所定の範囲内にいる人にのみ終了通知を行う。そのため、本実施形態によれば、施設の活用効率を改善することができる。さらに、終了通知は、必要な利用者のみに送付するので、無駄を減らすことができる。
【００３１】
＜第４の実施形態＞
次に、上述した第２の実施形態を基本とする第４の実施形態について説明する。以下の説明においては、本実施形態に係る特徴的な部分を中心に説明すると共に、上述した第２の実施形態と同様な構成についての重複する説明は省略する。
【００３２】
図１３は、第４の実施形態に係る施設管理システムが実行する管理処理の手順を示すフローチャートである。ここで、図１及び図１３を参照して、施設管理システム５の動作について詳細に説明する。
【００３３】
施設管理システム５は、参加者がすべて所定の範囲外にいる場合（ステップＳ１３０４）のみスケジュール変更信号を検知し（ステップＳ１３０５）、範囲内にいる場合にはスケジュール変更信号を検知しない。施設管理システム５は、参加者すべてのスケジュール変更信号を検知した時点で、スケジュールの終了時刻を変更する。
【００３４】
次に図１、２、４、５、６の一例を用いて本実施の形態の動作を示す。図４は、予約テーブルの一例を示す図である。図５は、会議テーブルの一例を示す図である。図６は、書き換え後の予約テーブルの一例を示す図である。
【００３５】
スケジュール管理部４は、図４に示す予定テーブルと図５に示す会議テーブルとを記憶しているとする。時刻特定部１は、時刻を取得する（ステップＳ２０１）。
【００３６】
特定部２は、特定部２は、取得した時刻が例えば１１：３０である場合、時刻が開始時刻以降終了時刻以前にあるかを判定し（ステップＳ２０２）、係る判定の結果、開始時刻１１：００、終了時刻１２：００の会議のみが条件を満たすことになる。特定部２は、特定した会議の場所がＫ２０２であり、特定した会議の参加者がＵ００３とＵ００４であることを認識する。
【００３７】
特定部２は、Ｋ２０２の場所を図５に示す会議テーブルから抜き出す（１１，１２３，１０）し、その利用者Ｕ００３とＵ００４の位置を特定し、それらが所定の範囲内であるか否かに対応して、処理を決定する。例えば、スケジュール終了時刻を書き換えることを特徴とする施設管理システムの場合には、処理決定手段３は、利用者と会議室との位置関係が範囲内であるかどうかを調べ（ステップＳ１３０４）、特定した位置関係が範囲外である場合には、スケジュール管理部４における終了時刻を取得した時刻である１１：３０に書き換える。
【００３８】
施設管理システム５は、スケジュール管理部４のテーブルを図６のように終了時刻を書き換える。特定した利用者と会議室との位置関係が範囲内である場合には、施設管理システム５は、書き換えを行わない。施設管理システム５は、利用者と会議室との位置関係が範囲外であるときに書き換えを行うことで、他の利用者が１１：３０から１２：００まで、その利用者が当該会議室を利用することを可能にする。
その結果、他の利用者は、その時間帯において施設を予約することが可能になる。その結果、施設管理システム５は、無駄に施設が利用されている状況を削減する。そのため、本実施形態によれば、施設の活用効率を改善することができる。
【００３９】
＜第５の実施形態＞
次に、上述した第１の実施形態を基本とする第５の実施形態について説明する。以下の説明においては、本実施形態に係る特徴的な部分を中心に説明すると共に、上述した第１の実施形態と同様な構成についての重複する説明は省略する。
【００４０】
図９は、第５の実施形態に係る施設管理システムが実行する管理処理の手順を示すフローチャートである。ここで、図１及び図９を参照して、施設管理システム５の動作について詳細に説明する。
【００４１】
特定部２は、特に、時刻特定部１が取得した時刻が、スケジュール管理部４のスケジュールの開始時刻のＮ分前（但し、Ｎは１乃至６０の整数）とその開始時刻との期間内である場合に（ステップＳ９０２）、そのスケジュールに関する施設の位置と、そのスケジュールに関する利用者の位置との位置関係を特定するという動作実施の有無を決める。それにより、施設管理システム５は、スケジュールの開始時刻のＮ分前と開始時刻との期間内と、その期間外という状況に応じた制御が可能になるシステム構成である。そのため、本実施形態によれば、施設の活用効率を改善することができる。特に、本実施形態によれば、スケジュールの開始時刻とその終了時刻との期間内とその期間外に関係する制御について、施設の活用効率を改善することができる。
【００４２】
＜第６の実施形態＞
次に、上述した第１の実施形態を基本とする第６の実施形態について説明する。以下の説明においては、本実施形態に係る特徴的な部分を中心に説明すると共に、上述した第１の実施形態と同様な構成についての重複する説明は省略する。
【００４３】
図１０は、第６の実施形態に係る施設管理システムが実行する管理処理の手順を示すフローチャートである。ここで、図１及び図１０を参照して、施設管理システム５の動作について詳細に説明する。
【００４４】
処理決定部３は、特に、利用者が施設内部にいるか否かに対応して異なる処理を行うことを決定する（ステップＳ１００４）。施設管理システム５は、施設内部にいる利用者と施設外部にいる利用者とに対して、異なる処理行う制御が可能になる。そのため、本実施形態によれば、施設の活用効率を改善することができる。
【００４５】
＜第７の実施形態＞
次に、上述した第１の実施形態を基本とする第７の実施形態について説明する。以下の説明においては、本実施形態に係る特徴的な部分を中心に説明すると共に、上述した第１の実施形態と同様な構成についての重複する説明は省略する。
【００４６】
図７は、本発明の第７の実施形態に係る施設管理システムの構成を示す図である。図７を参照すると、特定部２は、通信ネットワークシステム（以下、単に「ネットワーク」と称する）１２を介して、利用者が所持する通信装置１３から利用者位置を特定する、施設管理システム構成図である。
【００４７】
特定部２は、特に、通信装置１３の情報を、ネットワーク１２を介して読み取り、その読み取り内容に含まれる利用者の位置と、そのスケジュールに関する施設の位置との位置関係を特定する。その場合、特定部２は、利用者の位置情報を確実に取得することが可能になる。特許文献１に開示された施設予約利用システムは、カードリーダーより会議室の利用状況を管理していたが、利用者がカードリーダーを通すことを忘れることで、施設の無駄な利用状況が発生していた。ところが、施設管理システム５は、利用者が所持する通信装置の情報を読み取るため、特許文献１の施設予約利用システムにおいて発生する可能性が高い、無駄な利用状況を生じない。即ち、本実施形態によれば、施設の活用効率を改善することができる。
【００４８】
＜第８の実施形態＞
次に、上述した第３の実施形態を基本とする第８の実施形態について説明する。以下の説明においては、本実施形態に係る特徴的な部分を中心に説明すると共に、上述した第１の実施形態と同様な構成についての重複する説明は省略する。
【００４９】
図１４は、第８の実施形態に係る施設管理システムが実行する管理処理の手順を示すフローチャートである。ここで、図１及び図１４を参照して、施設管理システム５の動作について詳細に説明する。
【００５０】
第８の実施形態においては、施設管理システム５が管理する施設は、商品棚、その利用者は、商品棚に陳列された商品に対応する。それぞれの商品には、位置を特定するための通信装置とその値段表示するための値札が取り付けられている。その値札は、施設管理システム５から制御可能であるとする。スケジュール管理部４は、各商品について値引き開始日時と賞味期限日時と記載した一覧表を記憶している。開始時刻は、値引き開始日時、終了時刻は、賞味期限日時に対応する。
【００５１】
処理決定部３は、値札を割引表示するか否かを決定する（ステップＳ１４０５）。これにより商品棚に陳列されている商品は、値引き表示を自動的に行うことが可能になる。この結果、人手が行ってきた値札の張り替えは、自動化され、資源が削減される。即ち、本実施形態によれば、無駄な資源の利用を減らすことができる。
（ハードウェア構成例）
次に、上述した各実施形態における施設管理システムを、１つの計算処理装置（情報処理装置、コンピュータ）を用いて実現するハードウェア資源の構成例について説明する。但し、係る施設管理システムは、物理的または機能的に複数の計算処理装置を用いて実現してもよい。また、係る施設管理システムは、専用の装置として実現してもよい。
【００５２】
図３は、第１乃至第８の実施形態に係る施設管理システムを実現可能な計算処理装置のハードウェア構成を概略的に示す図である。計算処理装置１１は、ＣＰＵ（Ｃｅｎｔｒａｌ  Ｐｒｏｃｅｓｓｉｎｇ  Ｕｎｉｔ）６、メモリ７、ディスク８、出力装置９、および入力装置１０を有する。
【００５３】
即ち、ＣＰＵ６は、ディスク８が記憶しているソフトウェア・プログラム（コンピュータ・プログラム）：以下、単にプログラムと称する）を、実行時にメモリ７にコピーし、演算処理を実行する。ＣＰＵ６は、プログラム実行に必要なデータをメモリ７から読み込む。表示が必要な場合には、ＣＰＵ６は、出力装置９に出力結果を表示する。外部からプログラムを入力する場合、ＣＰＵ６は、入力装置１０からプログラムを読み取る。ＣＰＵ６は、メモリ７にある施設管理プログラム解釈し実行を行う。ディスク８は、スケジュール管理部４を保存している。ＣＰＵ６は、上述した各実施形態において参照したフローチャート（図２、８乃至１４）に応じた処理を順次行う。
【００５４】
尚、上述した各実施形態の一部又は全部は、以下の付記のようにも記載されうる。しかしながら、上述した各実施形態により例示的に説明した本発明は、以下には限られない。即ち、
（付記１）
時刻を取得する時刻取得手段と、
スケジュールの開始時刻と、そのスケジュールの終了時刻とを記憶するスケジュール管理手段と、
前記時刻取得手段が取得した時刻が、前記スケジュールの開始時刻とその終了時刻との少なくとも一方を含む所定の期間内である場合に、そのスケジュールに関する施設の位置と、そのスケジュールに関する利用者の位置との位置関係を特定する特定手段と、
前記特定手段が特定した位置関係が、前記所定の範囲内であるか否かに応じて、異なる処理を行うことを決定する処理決定手段とを備える
ことを特徴とする施設管理システム。
【００５５】
（付記２）
前記特定手段は、
前記時刻取得手段が取得した時刻が、前記スケジュール管理手段によるスケジュールの開始時刻とその終了時刻との期間内であるか、または、その期間外であるかに対応して処理を決定することを特徴とする付記１に記載の施設管理システム。
【００５６】
（付記３）
前記処理決定手段は、
前記特定手段が特定した利用者と施設との位置関係において、その利用者が該施設内部にいるか否かに応じて異なる処理を行うことを決定することを特徴とする付記１乃至２のいずれか一項に記載の施設管理システム。
【００５７】
（付記４）
前記特定手段は、
前記時刻取得手段が取得した時刻が、前記スケジュール管理手段によるスケジュールの開始時刻のＮ分前（但し、Ｎは１乃至６０の整数）とその開始時刻との期間内であるか、または、その期間外であるかに対応して処理を決定し、
前記処理決定手段は、
前記特定手段が特定した位置関係が、前記所定の範囲外にある場合にそのスケジュールの開始通知を行うことを決定し、該位置関係が、前記所定の範囲内にある場合にその開始通知を行わないことを決定する
ことを特徴とする付記１に記載の施設管理システム。
【００５８】
（付記５）
前記処理決定手段は、
前記特定手段が特定した位置関係が、前記所定の範囲内にある場合に終了通知を行うことを決定し、該位置関係が、前記所定の範囲外にある場合に終了通知を行わないことを決定する
ことを特徴とする付記２に記載の施設管理システム。
【００５９】
（付記６）
前記処理決定手段は、
前記特定手段が特定した位置関係が、前記所定の範囲外にある場合に、前記スケジュール管理手段に記憶しているそのスケジュールの終了時刻を、前記時刻取得手段が取得した時刻に書き換えることを決定し、該位置関係が所定の範囲内にある場合にその書き換えを行わないことを決定する
ことを特徴とする付記２に記載の施設管理システム。
【００６０】
（付記７）
前記特定手段は、
前記スケジュールに関する利用者が所持する通信装置の情報を、通信システムを介して読み取り、読み取った情報に含まれる該利用者の位置と、そのスケジュールに関する施設の位置との位置関係を特定する
ことを特徴とする、付記１乃至６のいずれか一項に記載の施設管理システム。
【００６１】
（付記８）
前記処理決定手段は、
前記特定手段が特定した位置関係が、前記所定の範囲内にある場合に値札の割引表示を行い、該位置関係が、前記所定の範囲外にある場合にその割引表示を行わない
ことを決定することを特徴とする付記２に記載の施設管理システム。
【００６２】
（付記９）
取得した時刻が、スケジュールの開始時刻とその終了時刻との少なくとも一方を含む所定の範囲内である場合に、そのスケジュールに関する施設の位置と、そのスケジュールに関する利用者の位置との位置関係を特定し、特定された位置関係が該所定の範囲内であるか否かに応じて異なる処理を行うことを、コンピュータを用いて決定することを特徴とする施設管理方法。
【００６３】
（付記１０）
時刻を取得する時刻取得機能と、
スケジュールの開始時刻と、そのスケジュールの終了時刻とを記憶するスケジュール記憶機能と、
前記時刻取得手段が取得した時刻が、前記スケジュールの開始時刻とその終了時刻との少なくとも一方を含む所定の範囲内である場合にそのスケジュールに関する施設の位置と、そのスケジュールに関する利用者の位置との位置関係を特定する特定機能と、
前期取得機能が特定した位置関係が、前記所定の範囲内であるか否かに応じて、異なる処理を行うことを決定する処理決定機能とを、
コンピュータに実現させることを特徴とするコンピュータ・プログラム。
【産業上の利用可能性】
【００６４】
本発明は、施設管理システムと利用者との現在の状態の整合性を取る各種システムに利用可能である。
【図面の簡単な説明】
【００６５】
【図１】施設管理システムの第１の実施形態を示すシステムの構成図である。
【図２】施設管理システムにおける管理方法のフローチャートである。
【図３】システムの電気的構成を概略的に示すものである。
【図４】予約テーブルの一例を示す図である。
【図５】会議テーブルの一例を示す図である。
【図６】書き換え後の予約テーブルの一例を示す図である。
【図７】特定部がネットワークを介して利用者位置を特定する、施設管理システムの構成図である。
【図８】施設管理システムの第２の実施形態を示すシステムのフローチャートである。
【図９】施設管理システムの第３の実施形態を示すシステムのフローチャートである。
【図１０】施設管理システムの第４の実施形態を示すシステムのフローチャートである。
【図１１】施設管理システムの第５の実施形態を示すシステムのフローチャートである。
【図１２】施設管理システムの第６の実施形態を示すシステムのフローチャートである。
【図１３】施設管理システムの第７の実施形態を示すシステムのフローチャートである。
【図１４】施設管理システムの第８の実施形態を示すシステムのフローチャートである。
【符号の説明】
【００６６】
１    時刻特定部
２    特定部
３    処理決定部
４    スケジュール管理部
５    施設管理システム
６    ＣＰＵ
７    メモリ
８    ディスク
９    出力装置
１０    入力装置
１１    計算処理装置
１２    ネットワーク
１３    通信装置
【図１】
2013149060.tif 000003
【図２】
2013149060.tif 000004
【図３】
2013149060.tif 000005
【図４】
2013149060.tif 000006
【図５】
2013149060.tif 000007
【図６】
2013149060.tif 000008
【図７】
2013149060.tif 000009
【図８】
2013149060.tif 000010
【図９】
2013149060.tif 000011
【図１０】
2013149060.tif 000012
【図１１】
2013149060.tif 000013
【図１２】
2013149060.tif 000014
【図１３】
2013149060.tif 000015
【図１４】
2013149060.tif 000016